(57)【要約】  【課題】  コントラスト低下を抑えながら応答速度及び配向安定性を改善した半透過式の垂直配向型液晶素子及びそれを備えた液晶表示装置を提供する  【解決手段】  半透過型の液晶素子１は、透明基板５と、透明基板５上に形成される着色層６と、着色層６上にベタ状に積層される透明電極層７から構成されるカラーフィルタ基板２と、ＴＦＴ基板８と、ＴＦＴ基板８上に積層される透過電極９及び反射電極１１から構成される対向基板３とが対向配置され、その隙間に液晶層４が封入された構成となっている。透過電極９が存在する透過部に形成される透過部リベット１０ａは、反射電極１１が存在する反射部に形成される反射部リベット１０ｂに比べて高く形成されている。【選択図】      図１
2006126228.tif 000002
【特許請求の範囲】
【請求項１】
透明基板上に透明電極層が積層された第１の基板と、
外光を反射する反射電極と、バックライト光源からの光を透過する透過電極とが所定のパターンで配置され、前記反射電極及び前記透過電極に電圧を供給する能動素子を備えた第２の基板と、
該第１及び第２の基板の間に挟持された液晶層と、から構成され、
前記反射電極が存在する反射部と前記透過電極が存在する透過部を有する垂直配向型の半透過型液晶素子において、
前記透明電極層上には、前記液晶層に含まれる液晶分子の軸対称の配向中心となる配向中心形成用突起が形成されており、前記透過部に形成される前記配向中心形成用突起は、前記反射部に形成される前記配向中心形成用突起に比べて高く形成されることを特徴とする液晶素子。
【請求項２】
遮光領域として各画素間に配列されるブラックマトリクスの形成材料を用いて、前記透過部に形成される前記配向中心形成用突起の下地をブラックマトリクスと同時に形成したことを特徴とする請求項１に記載の液晶素子。
【請求項３】
前記第１の基板には、前記透明基板と前記透明電極層との間に複数色から成る着色層が形成されており、前記着色層の一部を２色以上重ね合わせることにより、前記透過部に形成される前記配向中心形成用突起の下地を形成したことを特徴とする請求項１に記載の液晶素子。
【請求項４】
透明基板上に透明電極層が積層された第１の基板と、
外光を反射する反射電極と、バックライト光源からの光を透過する透過電極とが所定のパターンで配置され、前記反射電極及び前記透過電極に電圧を供給する能動素子を備えた第２の基板と、
該第１及び第２の基板の間に挟持された液晶層と、から構成され、
前記反射電極が存在する反射部と前記透過電極が存在する透過部を有する垂直配向型の半透過型液晶素子において、
前記反射電極上及び前記透過電極上には、前記液晶層に含まれる液晶分子の軸対称の配向中心となる配向中心形成用突起が形成されており、前記透過電極上に形成される前記配向中心形成用突起は、前記反射電極上に形成される前記配向中心形成用突起に比べて高く形成されることを特徴とする液晶素子。
【請求項５】
前記第２の基板上に配列され前記能動素子に接続されるゲート線又はソース線の形成材料を用いて、前記透過電極上に形成される前記配向中心形成用突起の下地をゲート線又はソース線と同時に形成したことを特徴とする請求項４に記載の液晶素子。
【請求項６】
請求項１〜請求項５のいずれかに記載の液晶素子が搭載された液晶表示装置。
【発明の詳細な説明】
【技術分野】
【０００１】
本発明は、液晶表示装置及びその製造方法に関し、特にコントラストの低下を抑制しながら応答速度、配向安定性を改善する方法に関するものである。
【背景技術】
【０００２】
近年、ディスプレイ装置として従来使用されてきたブラウン管（Cathode  Ray  Tube）に代わり、いわゆるフラットパネルディスプレイが主流となって市場を拡大しつつある。中でも、液晶表示装置（Liquid  Crystal  Display）は、薄型、軽量、低消費電力、高精細を特徴としており、テレビやパソコン、デジタルカメラ、携帯電話等の広い分野に用いられている。
【０００３】
液晶表示装置としては、一般に、液晶素子としてネマティック液晶を用いたＴＮ（Twisted  Nematic）型や、ＳＴＮ（Super  Twisted  Nematic）型などが用いられており、２枚の基板の間に液晶を注入し、これに与える電圧の強さを調節して液晶分子の相転移現象により光の透過量を調整する構造になっている。液晶表示装置は、例えば、内側面に透明電極が形成されている１対の透明基板と、この間に封入される液晶と、それぞれの透明基板の外側に設けられた、光を偏光させる２枚の偏光板とから構成される。
【０００４】
フルカラー表示が可能なカラー液晶素子のセル構造は、カラー生成を分担する受動エレメントであるカラーフィルタと、光シャッターとして機能する液晶セルを組み合わせた構成であり、基本的には赤（Ｒ）、緑（Ｇ）、青（Ｂ）、又はシアン（Ｃ）、マゼンタ（Ｍ）、イエロー（Ｙ）の３原色の画素を有するカラーフィルタ基板と、透明基板上にＴＦＴ（薄膜トランジスタ）等の能動素子や導電膜を形成した対向基板との隙間に液晶層を封入して成るものである。
【０００５】
カラーフィルタ基板の通常の製造方法としては、まず透明基板上にブラックマトリクス（以下、ＢＭという）を形成する。ＢＭは、各画素間に配列された遮光領域を示し、液晶表示装置の表示コントラストを向上させ、またＴＦＴなどの能動素子に光が入射して誤動作することを防ぐために設けられる。ＢＭの形成は、通常、透明基板上にクロムやニッケル等の金属又はそれらの酸化物、或いはカーボンブラック等の遮光剤を分散させた感光性又は非感光性の樹脂を積層し、格子状にパターニングすることにより行われる。
【０００６】
次に、格子状のＢＭの開口部を埋めるように着色層を印刷（積層）して各色の画素を形成する。そして、この着色層の上に液晶を電界で駆動させるために必要なＩＴＯ（酸化インジウムスズ）層などから成る透明電極層が形成される。セルの組み立てに際しては、この透明電極層の上にポリイミドから成るオーバーコート膜を積層した後、ラビング処理を行うことにより、液晶分子の配向性を安定化させるための配向膜を形成する。この後、セル組み立て工程へ送られ、対向基板と貼り合わされた後、液晶注入が行われる。
【０００７】
近年、液晶表示装置の大画面化やモニタ用途への展開に伴い視野角特性の改良が求められており、ネガ型液晶を使用したＶＡ（Vertical  Alignment）型液晶表示装置の開発が進められている。ＶＡ方式は、電圧無印加のときに液晶分子長軸が基板表面に対して垂直に配向して黒表示となり、電圧印加で液晶長軸が基板面と平行方向に倒れて白表示となる、いわゆる垂直配向型ノーマリーブラック方式であり、従来のＴＮ方式に比べて高視野角化が可能であるという特長を有している。
【０００８】
しかし、上記のような液晶表示装置に用いられる液晶素子は、初期配向状態において所定のプレチルト角（液晶分子と基板表面とのなす角）を有しており、図１１に示すように、電極１０１、１０２間に電圧を印加した時に液晶分子Ｌが同一方向に立ち上がる。このため、図１１（ｂ）のように異なる視角Ａ及び視角Ｂからセルを観察した場合、液晶分子Ｌの見かけ上の屈折率が変化して表示のコントラストが低下し、さらに中間調状態では視角によりコントラストの反転現象が生じるなど、表示品位が著しく低下する。
【０００９】
なお、図１１は、電圧無印加状態で図１１（ａ）のように液晶分子の配向が水平方向となり、電圧印加状態で図１１（ｃ）のように液晶分子の配向が垂直方向となるＴＮ型やＳＴＮ型の液晶素子について示しているが、ＶＡ型の液晶素子においても事情は同じである。
【００１０】
そこで、液晶表示装置の視野角を拡大する方法が種々提案されており、例えば特許文献１には、カラーフィルタの画素上での液晶配向を分割するために、ＶＡ型液晶表示装置のカラーフィルタ基板若しくは対向基板の表面に、液晶分子の軸対称の配向中心となる突起を設けることにより、液晶配列方向の制御を自動的に行う広視野角なＭＶＡ（Multi  domain  Vertical  Alignment）型液晶表示装置が開示されている。
【００１１】
また、特許文献２には、液晶と光硬化性又は熱硬化性樹脂とを混合して硬化させて樹脂中に液晶滴を形成した高分子分散型の液晶表示素子において、対向する２枚の基板の少なくとも一方に凸部、凹部或いは柱部を設けて液晶分子を軸対称状に配向するとともに、凸部を形成する材料に有色の添加物を加えて遮光性を付与してコントラストの低下を防止する方法が開示されている。
【００１２】
ＭＶＡ型液晶素子の構造を図１２に示す。ここでは一例として、透過型の液晶素子について説明する。図１２において、液晶素子１は、カラーフィルタ基板（第１の基板）２、及びカラーフィルタ基板２に対向して設けられた対向基板（第２の基板）３と、その隙間に封入される液晶層４から構成される。なお、図１２は電圧の無印加状態を示している。
【００１３】
カラーフィルタ基板２は、ガラス等から成る透明基板５と、透明基板５上に形成される赤（Ｒ）、緑（Ｇ）、青（Ｂ）のいずれかの色の着色層６と、着色層６上にベタ状に積層されるＩＴＯ層などから成る透明電極層７から構成されている。なお、ここでは図示しないが、透明基板５と着色層６との間には、遮光膜となるＢＭが格子状に形成されており、その格子間の開口部を埋めるように着色層６が形成されている。また、透明電極層７の上に形成される配向膜も記載を省略している。
【００１４】
一方、カラーフィルタ基板２に対向する対向基板３は、ゲート線及びソース線をマトリクス状に配置し、その交点にＴＦＴ（いずれも図示せず）が接続された透明なＴＦＴ基板８と、ＴＦＴ基板８上に積層される透過電極９から構成されている。なお、対向基板３上にも配向膜が形成されているが、ここでは記載を省略している。そして、図示しないバックライト光源からの光をＴＦＴ基板８側からカラーフィルタ基板２側へ透過させることにより、所望のカラー画像の表示を行う。
【００１５】
１０は、基板上の一部に設けられた配向中心形成用突起（以下、リベットという）である。リベット１０周辺の液晶分子はリベット表面に対し垂直に配向するため、リベット１０が角錐であればその斜面の数によって配向分割数が決まり、リベット１０が円錐であれば放射状の液晶配向が得られる。即ち、液晶分子Ｌはリベット１０により軸対称に均等配向されるため、視野角特性を改善することができる。
【００１６】
なお、リベット１０の頂部は配向規制力がほとんど存在せず、液晶分子の配向が不安定となる上、リベット１０上の液晶層４がそれ以外の領域よりも薄くなって十分に表示に寄与できず、見かけ上、透過率が減少し開口率が低下したのと同様の表示状態になってしまう。これは、リベット１０上の液晶層の厚さがそれ以外の領域と大きく異なると、その部分の液晶層のリタデーション量（屈折率異方性Δｎとセルギャップ（基板間の距離）ｄとの積Δｎ・ｄ）が設計値からずれることになり、表示に寄与する光量が低下することによる。従って、リベット１０の頂部はなるべく狭いことが望ましい。また、リベット１０の側面の傾斜は順テーパ形状であることが望ましい。
【００１７】
また、リベット１０の形状が不均一であると液晶配向の乱れが生じ、表示ムラが発生する原因となるため、リベット１０を均一に形成することが求められる。このため、リベット１０を形成する手法としては、微細なパターンを精度良く加工できるフォトリソグラフィ法が用いられる。即ち、リベット１０が非感光性の樹脂で形成される場合は、その上にフォトレジスト膜を形成した後に、また、リベット１０が感光性の樹脂で形成される場合は、そのまま、或いは酸素遮断膜を形成した後に、所定のパターンを有するフォトマスクを介し、露光、現像を行うことにより形成される。その後、さらにリベット１０上も含めて配向膜（図示せず）が積層される。
【００１８】
ここで、液晶素子には、光源としてバックライトのみを利用する透過型、外光の反射のみを利用する反射型、外光の反射とバックライトの両方を利用する半透過型の３タイプがある。画面背面のバックライトを光源とする透過型液晶は、彩度が高く、暗い室内で見やすいという特徴があるが、消費電力が大きく、明るい屋外では表示が暗くなるという欠点がある。
【００１９】
また、外光の反射を光源とする反射型液晶は、消費電力が少なく、明るい屋外で見やすいという特徴があるが、彩度が低く、暗いところでは表示できなくなるという欠点がある。半透過型液晶は、光の透過部と反射部とを有するマジックミラーのような素材を液晶パネルの裏に挟むことで両者を融合したタイプの液晶で、暗いところではバックライトを、明るいところでは外光を利用することで、両者の利点を生かした方式であり、携帯電話などに広く利用されている。
【００２０】
従来の半透過型のＭＶＡ型液晶素子を図１３に示す。ＴＦＴ基板８上には、バックライト光源からの光を透過させる透過電極９と、外光を反射させる反射電極１１が存在する。透過電極９の存在領域（透過部）におけるセルギャップａは４μｍ以上となり、反射電極１１の存在領域（反射部）におけるセルギャップｂに比べて大きくなっている。
【００２１】
このような半透過型液晶素子では、反射部のセルギャップｂよりも高いリベット１０を形成することはできないため、リベット１０の高さは１．３μｍ程度となるが、透過部においては液晶の容積に対するリベット１０の占める割合が低くなるため、リベット１０の配向規制力が小さくなり配向安定性が低下するとともに、画素全体での応答速度が遅くなる。
【００２２】
例えば、電圧の速い変化に対して液晶分子の配向状態の変化が追随できず、規則的な配向状態が得られずにざらついた表示として観察される。また、液晶セルに外圧が局部的に加えられた場合、リベット１０上での配向規制力が少ないため、液晶分子の流れ配向が発生して簡単に配向が乱れ、且つ、乱れた配向を復元するためには反射部の液晶分子に比較して長い時間が必要となるという問題点があった。
【特許文献１】特開平７−１２０７２８号公報
【特許文献２】特開平８−２９２４２３号公報
【発明の開示】
【発明が解決しようとする課題】
【００２３】
本発明は上記問題点に鑑み、コントラスト低下を抑えながら応答速度及び配向安定性を改善した半透過式の垂直配向型液晶素子及びそれを備えた液晶表示装置を提供することを目的とする。
【課題を解決するための手段】
【００２４】
上記目的を達成するために本発明は、透明基板上に透明電極層が積層された第１の基板と、外光を反射する反射電極と、バックライト光源からの光を透過する透過電極とが所定のパターンで配置され、前記反射電極及び前記透過電極に電圧を供給する能動素子を備えた第２の基板と、該第１及び第２の基板の間に挟持された液晶層と、から構成され、前記反射電極が存在する反射部と前記透過電極が存在する透過部を有する垂直配向型の半透過型液晶素子において、前記透明電極層上には、前記液晶層に含まれる液晶分子の軸対称の配向中心となる配向中心形成用突起が形成されており、前記透過部に形成される前記配向中心形成用突起は、前記反射部に形成される前記配向中心形成用突起に比べて高く形成されることを特徴としている。
【００２５】
また本発明は、上記構成の液晶素子において、遮光領域として各画素間に配列されるブラックマトリクスの形成材料を用いて、前記透過部に形成される前記配向中心形成用突起の下地をブラックマトリクスと同時に形成したことを特徴としている。
【００２６】
また本発明は、上記構成の液晶表示装置において、前記第１の基板には、前記透明基板と前記透明電極層との間に複数色から成る着色層が形成されており、前記着色層の一部を２色以上重ね合わせることにより、前記透過部に形成される前記配向中心形成用突起の下地を形成したことを特徴としている。
【００２７】
また本発明は、透明基板上に透明電極層が積層された第１の基板と、外光を反射する反射電極と、バックライト光源からの光を透過する透過電極とが所定のパターンで配置され、前記反射電極及び前記透過電極に電圧を供給する能動素子を備えた第２の基板と、該第１及び第２の基板の間に挟持された液晶層と、から構成され、前記反射電極が存在する反射部と前記透過電極が存在する透過部を有する垂直配向型の半透過型液晶素子において、前記反射電極上及び前記透過電極上には、前記液晶層に含まれる液晶分子の軸対称の配向中心となる配向中心形成用突起が形成されており、前記透過電極上に形成される前記配向中心形成用突起は、前記反射電極上に形成される前記配向中心形成用突起に比べて高く形成されることを特徴としている。
【００２８】
また本発明は、上記構成の液晶表示装置において、前記第２の基板上に配列され前記能動素子に接続されるゲート線又はソース線の形成材料を用いて、前記透過電極上に形成される前記配向中心形成用突起の下地をゲート線又はソース線と同時に形成したことを特徴としている。
【００２９】
また本発明は、上記構成の液晶素子が搭載された液晶表示装置である。
【発明の効果】
【００３０】
本発明の第１の構成によれば、透過部に形成される配向中心形成用突起を、反射部に形成される配向中心形成用突起に比べて高く形成することにより、透過部において液晶の容積に対する配向中心形成用突起の占める割合が増加するため、液晶分子の配向安定性も向上し、画素全体での応答速度も速くなる。
【００３１】
また、本発明の第２の構成によれば、上記第１の構成の液晶表示装置において、透過部に形成される配向中心形成用突起の下地形成に、ＢＭを形成する材料を用いることにより、液晶分子の配向安定性及び応答速度が向上するとともに、透過部に形成される配向中心形成用突起自体の高さを従来と同等に形成しても、下地の厚み分だけ高くなるため、光漏れの発生やコントラストの低下も抑制することができる。さらに、透過部及び反射部に形成される配向中心形成用突起は同じ高さでよいため、配向中心形成用突起を１工程で形成でき、下地はＢＭと同時形成できるため、液晶素子の製造工程が簡素化される。
【００３２】
また、本発明の第３の構成によれば、上記第１又は第２の構成の液晶表示装置において、透明基板と透明電極層との間に着色層が形成されたカラー液晶素子において、透過部に形成される配向中心形成用突起の下地を、着色層の一部を２色以上重ね合わせて形成することにより、液晶分子の配向安定性及び応答速度が向上するとともに、光漏れの発生やコントラストの低下も抑制することができる。さらに、配向中心形成用突起を１工程で形成することができ、下地は着色層と同時形成できるため、液晶素子の製造工程が簡素化される。
【００３３】
また、本発明の第４の構成によれば、配向中心形成用突起が第２の基板側に形成される場合、透過電極上に形成される配向中心形成用突起を、反射電極上に形成される配向中心形成用突起に比べて高く形成することにより、第１の構成と同様に、透過部において液晶の容積に対する配向中心形成用突起の占める割合が増加するため、液晶分子の配向安定性も向上し、画素全体での応答速度も速くなる。
【００３４】
また、本発明の第５の構成によれば、上記第４の構成の液晶表示装置において、透過電極上に形成される配向中心形成用突起の下地形成に、ゲート線又はソース線を形成する材料を用いることにより、液晶分子の配向安定性及び応答速度が向上するとともに、透過部に形成される配向中心形成用突起自体の高さを従来と同等に形成しても、下地の厚み分だけ高くなるため、光漏れの発生やコントラストの低下も抑制することができる。さらに、透過部及び反射部に形成される配向中心形成用突起は同じ高さでよいため、配向中心形成用突起を１工程で形成でき、下地はゲート線又はソース線と同時形成できるため、液晶素子の製造工程が簡素化される。
【００３５】
また、本発明の第６の構成によれば、上記第１乃至第５のいずれかの構成の液晶素子を液晶表示装置に搭載することにより、コントラスト低下を抑制しながら応答速度、配向安定性及び生産性にも優れ、表示不良のない高画質、高精細な液晶表示装置を提供できる。
【発明を実施するための最良の形態】
【００３６】
以下、本発明の実施形態を図面を参照して説明する。図１は本発明の第１実施形態に係る液晶素子の構造を示す部分断面図である。従来例の図１２、図１３と共通する部分には同一の符号を付して説明を省略する。本実施形態においては、透過部に形成されるリベット（以下、透過部リベットという）１０ａは、反射部に形成されるリベット（以下、反射部リベットという）１０ｂに比べて高く形成されている。この構成により、透過部において液晶の容積に対する透過部リベット１０ａの占める割合が増加するため、液晶分子の配向安定性も向上し、画素全体での応答速度も速くなる。
【００３７】
透過部リベット１０ａを反射部リベット１０ｂよりも高く形成するためには、カラーフィルタ基板２の製造プロセスにおいて、リベット形成工程を２段階とすれば良い。図２（ａ）〜（ｄ）は、第１実施形態の液晶素子に用いられるカラーフィルタ基板２の製造工程を示す断面図であり、図３（ａ）〜（ｃ）は、対向基板３の製造工程を示す断面図である。図２、図３を用いて本実施形態の液晶素子の製造プロセスを説明する。
【００３８】
先ず、透明基板５上にマトリクス状のＢＭ（図示せず）をフォトリソグラフィ法により形成した後、図２（ａ）に示すように、画素色に合わせて赤（Ｒ）、緑（Ｇ）、青（Ｂ）のいずれかの着色層６を印刷する。次に、図２（ｂ）に示すように、得られた基板上に、ＩＴＯ等から成る透明電極層７をスパッタリング法で形成する。
【００３９】
さらに、図２（ｃ）に示すように、得られた基板上の反射部に対応する位置に反射部リベット１０ｂをフォトリソグラフィ法により形成する。次いで、図２（ｄ）に示すように、透過部に対応する位置に透過部リベット１０ａを、フォトリソグラフィ法により反射部リベット１０ｂよりも高く形成する。その後、垂直配向膜（図示せず）を全面に塗布し、カラーフィルタ基板２を製造する。
【００４０】
一方、透明基板上に金属層を積層した後、フォトリソグラフィ法によりパターニングしてゲート線、ソース線、ＴＦＴ（いずれも図示せず）を形成し、図３（ａ）に示すようなＴＦＴ基板８とする。得られたＴＦＴ基板８上にＩＴＯ層をスパッタリング法で積層し、所定のパターンにエッチングして図３（ｂ）に示すような透過電極９を形成する。さらに反射率の高い金属層をスパッタリング法で積層し、所定のパターンにエッチングして反射電極１１を形成する。その後、カラーフィルタ基板２と同様に垂直配向膜（図示せず）を全面に塗布して図３（ｃ）に示すように対向基板３を製造する。最後に、カラーフィルタ基板２及び対向基板３を所定の間隔を隔てて貼り合わせ、隙間に液晶層４を封入して図１に示したような液晶素子１が完成する。
【００４１】
透過部リベット１０ａ及び反射部リベット１０ｂの形状は、画素上の液晶分子の配向方向を２分割以上に分割できるものであれば、特に限定されるものではない。例えば、透過部及び反射部がストライプ状に形成されている場合は、断面が三角形状、半円形状ないし台形状で連続の線形状、透過部及び反射部がマトリクス状に形成されている場合は、三角錐ないし、断面が三角形状、台形状の円錐形状などが好適に用いられる。
【００４２】
第１実施形態の液晶素子においては、フォトリソグラフィ法により透過部リベット１０ａ及び反射部リベット１０ｂを別個に形成するため、各リベット１０ａ、１０ｂの高さが自由に設定可能となる反面、カラーフィルタ基板２の製造工程数は増加する。
【００４３】
また、液晶分子はリベット１０ａ、１０ｂの表面に対し垂直に配向するので、垂直配向型ノーマリーブラック方式の場合、本来なら、液晶分子の長軸が基板表面に垂直に配向して光を遮るべきところ、リベット１０ａ、１０ｂにより基板表面に対して平行或いは斜めに配向してしまい、光漏れが生じるため、電圧印加時の白表示との差であるコントラストが低下するという問題があった。
【００４４】
特に、透過部リベット１０ａは反射部リベット１０ｂよりも高く形成されているため、図４に示すように、透過部においては基板表面に対して平行或いは斜めに配向する液晶分子Ｌの割合が多くなり、光漏れの領域も多くなってコントラストの低下も顕著になる。このような光漏れやコントラストの低下を抑制するためには、透過部リベット１０ａの形成される部分に土台となる下地を設けておき、透過部リベット１０ａ及び反射部リベット１０ｂが形成される部分のセルギャップの差を小さくしておけば良い。
【００４５】
図５は、本発明の第２実施形態に係る液晶素子の構造を示す部分断面図である。図１と共通する部分には同一の符号を付して説明を省略する。本実施形態においては、透過部リベット１０ａの形成される部分に、遮光領域として各画素間に配列されるＢＭの形成材料を用いて予めランド状の下地１２を設けておき、その上に透過部リベット１０ａを形成している。
【００４６】
本実施形態における液晶素子の製造プロセスを、図６を参照しながら説明する。先ず、透明基板５上にマトリクス状のＢＭ（図示せず）をフォトリソグラフィ法により形成する。このとき、図６（ａ）に示すように、ＢＭの形成と同時にランド状の下地１２を透過部リベット１０ａが形成される部分にのみ形成しておく。一方、反射部リベット１０ｂが形成される部分には下地１２は設けない。次に、図６（ｂ）に示すように、赤（Ｒ）、緑（Ｇ）、青（Ｂ）のいずれかの着色層６を画素色に合わせて印刷する。その後、図６（ｃ）に示すように、得られた基板上に、ＩＴＯ等から成る透明電極層７をスパッタリング法で形成する。
【００４７】
さらに、図６（ｄ）に示すように、得られた基板上の透過部に対応する位置に透過部リベット１０ａを、反射部に対応する位置に反射部リベット１０ｂをフォトリソグラフィ法により形成する。これにより、透過部リベット１０ａは下地１２、即ちＢＭの厚み分だけ反射部リベット１０ｂよりも高くなる。従って、透過部リベット１０ａの高さはＢＭの厚みに依存し、透過部リベット１０ａをより高く形成したい場合にはＢＭを形成する金属層の厚みを厚くしておく必要がある。その後、垂直配向膜（図示せず）を全面に塗布し、カラーフィルタ基板２を製造する。なお、対向基板３の製造プロセスについては図３と同様であるため説明は省略する。
【００４８】
本実施形態においても第１実施形態と同様に、透過部において液晶の容積に対する透過部リベット１０ａの占める割合が増加するため、液晶分子の配向安定性を向上させて画素全体での応答速度を速くすることができる。また、透過部リベット１０ａ自体の高さを従来と同等に形成しても、下地１２の厚み分だけ高くなるため、第１実施形態に比べて光漏れの発生やコントラストの低下も抑制することができる。
【００４９】
さらに、透過部リベット１０ａ自体は反射部リベット１０ｂと同じ高さでよいため、透過部リベット１０ａ及び反射部リベット１０ｂを同一工程で形成することができ、下地１２はフォトリソグラフィ法によりＢＭと同時に透明基板５上にパターニングできるため、下地１２を設けるための工程も別途設ける必要がない。従って、第１実施形態に比べてカラーフィルタ基板２の製造工程が一層簡素化される。
【００５０】
図７は、本発明の第３実施形態に係る液晶素子の構造を示す部分断面図である。図１及び図５と共通する部分には同一の符号を付して説明を省略する。本実施形態においては、透過部リベット１０ａの形成される部分に、２層の着色層６を重ねて予めランド状の下地１２を設けておき、その上に透過部リベット１０ａを形成している。
【００５１】
本実施形態における液晶素子の製造プロセスを、図８を参照しながら説明する。先ず、透明基板５上にマトリクス状のＢＭ（図示せず）をフォトリソグラフィ法により形成した後、図８（ａ）に示すように、画素色となる赤（Ｒ）、緑（Ｇ）、青（Ｂ）のいずれかの着色層６を印刷する。図８では赤色の画素について説明しており、赤色の着色層６ａがベタ状に印刷されている。次に、図８（ｂ）、（ｃ）に示すように、透過部リベット１０ａの形成される部分にのみ、画素色以外の２色の着色層６をランド状に重ねて印刷し、下地１２を形成しておく。ここでは緑色の着色層６ｂと青色の着色層６ｃを重ねて印刷する。
【００５２】
下地１２の形成に用いられる着色層６ｂ、６ｃは、緑色及び青色の画素においては画素色としてベタ状に印刷されるため、下地１２の形成される順序は画素色によって異なる。即ち、緑色の画素では先ず着色層６ａがランド状に印刷され、着色層６ｂがベタ状に印刷された後、着色層６ｃがランド状に印刷される。また、緑色の画素では先ず着色層６ａ、６ｂがランド状に印刷された後、着色層６ｃがベタ状に印刷される。なお、この例では赤色の着色層６ａを印刷した後、緑色の着色層６ｂ及び青色の着色層６ｃを順次印刷することとしているが、各着色層６ａ〜６ｃの印刷順序についても特に制限はない。そして、図８（ｄ）に示すように、得られた基板上にＩＴＯ等から成る透明電極層７をスパッタリング法で形成する。
【００５３】
さらに、図８（ｅ）に示すように、得られた基板上の透過部に対応する位置に透過部リベット１０ａを、反射部に対応する位置に反射部リベット１０ｂをフォトリソグラフィ法により形成する。透過部リベット１０ａは２層の着色層６ｂ、６ｃで形成された下地１２に重なるように設けられており、１層当たりの着色層６の厚みは約１．３〜１．７μｍであるため、透過部リベット１０ａは全体として約２．６〜３．４μｍだけ反射部リベット１０ｂよりも高くなる。反射部リベット１０ｂの高さは約１．３μｍであるため、透過部リベット１０ａは全体として約３．９〜４．７μｍの高さに形成することができる。その後、垂直配向膜（図示せず）を全面に塗布し、カラーフィルタ基板２を製造する。なお、対向基板３の製造プロセスについては図３と同様であるため説明は省略する。
【００５４】
本実施形態においても第１、第２実施形態と同様に、透過部において液晶の容積に対する透過部リベット１０ａの占める割合が増加するため、液晶分子の配向安定性を向上させて画素全体での応答速度を速くすることができる。また、透過部リベット１０ａ自体の高さを従来と同等に形成しても、下地１２の厚み分だけ高くなるため、第２実施形態と同様に光漏れの発生やコントラストの低下を抑制することができる。
【００５５】
さらに、透過部リベット１０ａ及び反射部リベット１０ｂを同一工程で形成することができ、下地１２は他の画素の画素色となる着色層６ｂ、６ｃにより印刷されるため、下地１２を設けるための工程も別途必要としない。従って、第２実施形態と同様にカラーフィルタ基板２の製造工程が一層簡素化される。
【００５６】
本実施形態においては、画素色として用いる着色層６上に、他の２色の着色層６をランド状に重ねて３色載せとして下地１２を形成しているが、画素色として用いる以外のいずれか１色を重ねて下地１２を形成することもできる。しかし、画素色に他の１色を重ねた２色載せとして下地１２を形成した場合、２色の組み合わせにより各画素の透過部リベット１０ａ部分の色変化（色シフト）が発生する。そのため、本実施形態のように３色載せにより下地１２を形成することが好ましい。
【００５７】
図９は、本発明の第４実施形態に係る液晶素子の構造を示す部分断面図である。図１、図５及び図７と共通する部分には同一の符号を付して説明を省略する。本実施形態においては、第１〜第３実施形態とは異なり、透過部リベット１０ａ及び反射部リベット１０ｂは、それぞれ対向基板３側の透過電極９上及び反射電極１１上に形成されている。また、透過部リベット１０ａの形成される部分には、ＴＦＴに駆動電圧を供給するゲート線の形成材料を用いて予めランド状の下地１２を設けておき、その上に透過部リベット１０ａを形成している。
【００５８】
本実施形態における液晶素子の製造プロセスを、図１０を参照しながら説明する。先ず、ＴＦＴ基板８上にゲート線、ソース線、ＴＦＴをフォトリソグラフィ法により形成する。このとき、図１０（ａ）に示すように、ゲート線の形成と同時にランド状の下地１２を透過部リベット１０ａが形成される部分にのみ形成しておく。一方、反射部リベット１０ｂが形成される部分には下地１２は設けない。次に、図１０（ｂ）に示すように、ＴＦＴ基板８上にＩＴＯ層をスパッタリング法で積層し、所定のパターンにエッチングして透過電極９を形成する。さらに図１０（ｃ）に示すように、金属層をスパッタリング法で積層し、所定のパターンにエッチングして反射電極１１を形成する。
【００５９】
さらに、図１０（ｄ）に示すように、透過電極９上に透過部リベット１０ａを、反射電極１１上に反射部リベット１０ｂをフォトリソグラフィ法により形成する。これにより、透過部リベット１０ａは下地１２、即ちゲート線の厚み分だけ反射部リベット１０ｂよりも高くなる。従って、透過部リベット１０ａの高さはゲート線の厚みに依存し、透過部リベット１０ａをより高く形成したい場合にはゲート線を形成する金属層の厚みを厚くしておく必要がある。その後、垂直配向膜（図示せず）を全面に塗布し、対向基板３を製造する。なお、カラーフィルタ基板２の製造プロセスについては、リベット形成工程を含まない以外は図２と同様であるため説明は省略する。
【００６０】
本実施形態においても第１〜第３実施形態と同様に、透過部において液晶の容積に対する透過部リベット１０ａの占める割合が増加するため、液晶分子の配向安定性を向上させて画素全体での応答速度を速くすることができる。また、透過部リベット１０ａ自体の高さを従来と同等に形成しても、下地１２の厚み分だけ高くなるため、第１実施形態に比べて光漏れの発生やコントラストの低下も抑制することができる。
【００６１】
さらに、透過部リベット１０ａ自体は反射部リベット１０ｂと同じ高さでよいため、透過部リベット１０ａ及び反射部リベット１０ｂを同一工程で形成することができ、下地１２はフォトリソグラフィ法によりゲート線と同時にＴＦＴ基板８上にパターニングできるため、下地１２を設けるための工程も別途設ける必要がない。従って、第１実施形態に比べてカラーフィルタ基板２の製造工程が一層簡素化される。
【００６２】
なお、ここではゲート線の形成材料（ゲート線形成層）を用いて、下地１２をゲート線と同時形成しているが、ゲート線の代わりにソース線の形成材料（ソース線形成層）を用いて、下地１２をソース線と同時形成することもでき、さらにゲート線とソース線の形成材料を重ね合わせて下地１２を形成することも可能である。この場合、ゲート線若しくはソース線の形成材料のみで形成する場合に比べ、下地１２をより高く形成可能となる。
【００６３】
上記各実施形態で説明した液晶モジュールを、バックライト装置と共に液晶テレビやパソコン、デジタルカメラ等の筐体内に搭載することにより、高コントラストで応答速度、配向安定性も良好で、且つ生産性にも優れた液晶表示装置を提供でき、液晶表示装置を搭載した製品の高画質化、高精細化に貢献する。
【００６４】
その他本発明は上記の実施形態に限定されず、本発明の趣旨を逸脱しない範囲で種々の変更が可能である。例えば、ここでは能動素子としてＴＦＴを用いたＴＦＴ方式の液晶素子について説明したが、ＴＦＴに代えてダイオードを用いたダイオード方式の液晶素子にも適用できるのはもちろんである。また、各実施形態における液晶素子の製造プロセスは例示したものに限定されるものではなく、ＢＭや着色層、透明電極層等は、従来公知の製膜技術及びパターニング法を適宜組み合わせて形成することができる。
【００６５】
また、上記第１、第２、及び第４実施形態においては、対向する２枚の透明基板のうち一方に着色層６を印刷してカラーフィルタ基板としたカラー液晶素子について説明したが、着色層６を設けないモノクロタイプの液晶素子についても全く同様に適用可能である。
【００６６】
なお、上記第２〜第４実施形態においては、透過部リベット１０ａに下地１２を設けるため、下地１２の分だけ透過光を遮光することとなるが、リベット自体が有色であること、リベット部分はセルギャップが狭くリタデーション量が少ないこと、及び、リベットによる電圧降下のため液晶分子にかかる電圧が小さいこと、の３つの理由から、リベット領域は元々透過率が３割程度しかなく、さらにリベット面積は透過領域全体の面積に対して僅かであるため、下地１２を設けても透過率の低下による不都合は発生しない。
【実施例】
【００６７】
本発明の液晶素子を用いた場合の応答速度、コントラスト、及び配向安定性の変化を、実施例を用いて具体的に説明する。ここでは、下地１２を設けず透過部リベット１０ａ自体を高く形成する第１実施形態の液晶素子において、透過部リベット１０ａを１．６μｍとした場合（本発明１）、２．０μｍとした場合（本発明２）、ＢＭを用いて下地１２を設け、その上に透過部リベット１０ａを形成する第２実施形態の液晶素子において、透過部リベット１０ａを２．０μｍとした場合（本発明３）、３．０μｍとした場合（本発明４）、及び下地１２を設けず透過部リベット１０ａを１．０μｍとした場合（比較例）について、それぞれ応答速度、コントラスト、配向安定性を評価した。
【００６８】
なお、液晶素子としては、電圧を加えた際に輝点、電圧を加えないときに黒点となる垂直配向型のノーマリーブラック方式の液晶素子を用いた。また、配向安定性は、中間調表示時に液晶素子に一定の力を加えた際、液晶分子が元の状態に戻るまでの時間（ｓｅｃ）を測定することにより評価した。結果を表１に示す。
【００６９】
【表１】
2006126228.tif 000003
【００７０】
表１から明らかなように、透過部リベット１０ａを高く形成した本発明１〜４では、透過部リベット１０ａの高さに比例して応答速度及び配向安定性の向上が認められた。一方、コントラストについては、下地１２を設けず透過部リベット１０ａ自体を高く形成した本発明１、２では、比較例に比べてコントラストがやや低下する傾向が見られたが、下地１２の上に透過部リベット１０ａを形成した本発明３、４では比較例に比べてコントラストが高くなった。
【００７１】
この結果より、透過部リベット１０ａを高く形成することにより、液晶分子の応答速度及び配向安定性を改善することができ、さらにＢＭを用いて下地１２を設けた場合は、コントラスト低下も効果的に防止できることが確認された。なお、ここには記載しないが、着色層６を重ね合わせて下地１２を形成する第３実施形態の液晶素子を用いた場合も、本発明３、４と同様に、コントラストの低下を抑制しながら、応答速度及び配向安定性の向上が可能であることが確認されている。
【産業上の利用可能性】
【００７２】
本発明は、透明基板上に透明電極層が積層された第１の基板と、外光を反射する反射電極と、バックライト光源からの光を透過する透過電極とが所定のパターンで配置され、反射電極及び透過電極に電圧を供給する能動素子を備えた第２の基板と、該第１及び第２の基板の間に挟持された液晶層と、から構成され、反射電極が存在する反射部と透過電極が存在する透過部を有する垂直配向型の半透過型液晶素子において、透明電極層上には、液晶層に含まれる液晶分子の軸対称の配向中心となる配向中心形成用突起が形成されており、透過部に形成される配向中心形成用突起は、反射部に形成される配向中心形成用突起に比べて高く形成されることとする。
【００７３】
これにより、セルギャップの大きい透過部においても、液晶の容積に対する配向中心形成用突起の占める割合が増加するため、液晶分子の配向安定性が向上する。また、画素全体での応答速度も速くなるため、外部からの圧力等の影響で液晶分子の配向が簡単に乱れず、且つ、短時間で乱れた配向を復元することができる。
【００７４】
また、遮光領域として各画素間に配列されるブラックマトリクスを用いて透過部に形成される配向中心形成用突起の下地を形成したので、液晶分子の配向安定性及び応答速度が向上するとともに、下地の厚み分だけ突起が高くなるため、突起自体の高さに比例して発生する光漏れの発生やコントラストの低下も抑制することができる。さらに、透過部及び反射部の配向中心形成用突起を１工程で形成することができ、下地はＢＭと同時形成できるため、液晶素子の製造工程が簡素化される。
【００７５】
また、透明基板と透明電極層との間に着色層が形成されたカラー液晶素子において、透過部に形成される配向中心形成用突起の下地を着色層の一部を２色以上重ね合わせて形成したので、光漏れの発生やコントラストの低下を抑制可能であるとともに、配向中心形成用突起を１工程で形成することができ、下地は着色層と同時形成できるため、液晶素子の製造工程が簡素化される。
【００７６】
また、配向中心形成用突起を第２の基板側に形成し、透過電極上に形成される配向中心形成用突起を、反射電極上に形成される配向中心形成用突起に比べて高く形成することにより、第１の基板側に形成する場合と同様に、透過部において液晶の容積に対する配向中心形成用突起の占める割合が増加するため、液晶分子の配向安定性が向上し、画素全体での応答速度も速くなる。さらに、透過電極上に形成される配向中心形成用突起の下地を、ＴＦＴ等の能動素子に接続するゲート線又はソース線の形成材料を用いて同時形成すれば、液晶素子の製造工程が簡素化される。
【００７７】
また、本発明の液晶素子を搭載することにより、視野角特性に優れ、且つコントラスト低下を抑制しながら応答速度、配向安定性及び生産性も向上した、表示不良のない高画質、高精細な液晶表示装置を提供することができる。
【図面の簡単な説明】
【００７８】
【図１】は、本発明の第１実施形態に係る液晶素子の構造を示す部分断面図である。
【図２】は、第１実施形態に係る液晶素子のカラーフィルタ基板の製造工程を示す断面図である。
【図３】は、第１実施形態に係る液晶素子の対向基板の製造工程を示す断面図である。
【図４】は、第１実施形態の液晶素子における液晶分子の配向を示す図である。
【図５】は、本発明の第２実施形態に係る液晶素子の構造を示す部分断面図である。
【図６】は、第２実施形態に係る液晶素子のカラーフィルタ基板の製造工程を示す断面図である。
【図７】は、本発明の第３実施形態に係る液晶素子の構造を示す部分断面図である。
【図８】は、第３実施形態に係る液晶素子のカラーフィルタ基板の製造工程を示す断面図である。
【図９】は、本発明の第４実施形態に係る液晶素子の構造を示す部分断面図である。
【図１０】は、第４実施形態に係る液晶素子のＴＦＴ基板の製造工程を示す断面図である。
【図１１】は、従来のＴＮ型液晶素子の視角によるコントラスト変化を示す断面図である。
【図１２】は、従来のＭＶＡ型液晶素子を示す部分断面図である。
【図１３】は、従来の半透過型のＭＶＡ型液晶素子を示す部分断面図である。
【符号の説明】
【００７９】
１                液晶素子
２                カラーフィルタ基板（第１の基板）
３                対向基板（第２の基板）
４                液晶層
５                透明基板
６                着色層
７                透明電極層
８                ＴＦＴ基板
９                透過電極
１０              リベット（配向中心形成用突起）
１０ａ            透過部リベット（配向中心形成用突起）
１０ｂ            反射部リベット（配向中心形成用突起）
１１              反射電極
１２              下地
【図１】
2006126228.tif 000004
【図２】
2006126228.tif 000005
【図３】
2006126228.tif 000006
【図４】
2006126228.tif 000007
【図５】
2006126228.tif 000008
【図６】
2006126228.tif 000009
【図７】
2006126228.tif 000010
【図８】
2006126228.tif 000011
【図９】
2006126228.tif 000012
【図１０】
2006126228.tif 000013
【図１１】
2006126228.tif 000014
【図１２】
2006126228.tif 000015
【図１３】
2006126228.tif 000016